(57)【要約】【課題】燃料の高圧化に耐え得る優れた耐久性を有する燃料噴射ポンプを提供。【解決手段】プランジャ２０と、プランジャを往復移動可能に支持する筒状のシリンダ内壁３４を有し、プランジャと共に加圧室３５を形成するハウジング１０、３２と、加圧室を介してプランジャとは軸方向の反対側に設けられ、加圧室を形成する加圧室壁部材７３と、加圧室に開口する吸入口３７を有し、燃料が吸入口から加圧室に吸入される吸入燃料通路４１と、加圧室に開口する吐出口７２を有し、加圧室で加圧された燃料を吐出口より加圧室外へ吐出する吐出燃料通路８１とを備え、吐出燃料通路８１は吐出口７２が加圧室壁部材７３に形成され、吸入燃料通路４１は、吸入口３７がハウジング３２に形成されると共に、加圧室３５内に設けられ、弁シート部５１を有し、かつ加圧室内の燃料の加圧時に弁シート部が吸入口の周辺部３６ａに着座し吸入口及びその周辺部を覆う逆止弁５０を備える。【選択図】図１
2010275874.tif 000002
【特許請求の範囲】
【請求項１】
燃料を吸入及び加圧するために軸方向に往復移動するプランジャと、
前記プランジャを往復移動可能に支持し、筒状を呈するシリンダ内壁を有するハウジングであって、前記プランジャとともに、吸入された燃料を加圧する加圧室を形成するハウジングと、
前記加圧室を介して前記プランジャとは軸方向の反対側に設けられ、前記加圧室を形成する加圧室壁部材と、
前記加圧室に開口する吸入口を有する吸入燃料通路であって、前記吸入燃料通路に供給される燃料が前記吸入口から前記加圧室に吸入される吸入燃料通路と、
前記加圧室に開口する吐出口を有する吐出燃料通路であって、前記加圧室で加圧された燃料を、前記吐出口より前記加圧室外へ吐出する吐出燃料通路と、
を備え、前記プランジャの往復移動によって前記加圧室に吸入した燃料を、加圧して吐出する燃料噴射ポンプにおいて、
前記吐出燃料通路は、前記吐出口が前記加圧室壁部材に形成され、
前記吸入燃料通路は、前記吸入口が前記ハウジングに形成されるとともに、
前記加圧室内に設けられ、弁シート部を有し、前記吸入口から前記吸入燃料通路への燃料の逆流を阻止する逆止弁であって、前記加圧室内の燃料の加圧時に前記弁シート部が前記吸入口の周辺部に着座し、前記吸入口及び前記吸入口の周辺部を覆う逆止弁を備えていることを特徴とする燃料噴射ポンプ。
【請求項２】
前記吸入口及び前記周辺部は、前記加圧室を形成する前記ハウジングの内壁のうち、前記シリンダ内壁に対して直交する平面部に形成されていることを特徴とする請求項１に記載の燃料噴射ポンプ。
【請求項３】
前記逆止弁は、
前記弁シート部を有する弁本体と、
前記弁本体が着座方向及び離座方向に移動可能に前記加圧室壁部材に支持される支持部と、
内部を前記支持部が挿通すると共に前記弁本体と前記加圧室壁部材の間に介在する付勢部材であって、前記弁シート部を着座方向に付勢する付勢部材と、
を有することを特徴とする請求項１または請求項２に記載の燃料噴射ポンプ。
【請求項４】
前記逆止弁は、
前記弁シート部を有する弁本体であって、前記プランジャに対して軸方向にずれて配設され、円環状を呈する弁本体を備え、
前記弁本体の内周部は、前記プランジャより大きく、かつ前記弁本体の外周部は、前記加圧室を形成する前記ハウジングの内壁のうち、前記シリンダ内壁より径拡大された支持内壁に支持されることを特徴とする請求項１または請求項２に記載の燃料噴射ポンプ。
【請求項５】
前記逆止弁は、前記弁本体と前記加圧室壁部材の間に介在する付勢部材であって、内部を前記プランジャが挿通する付勢部材を有することを特徴とする請求項４に記載の燃料噴射ポンプ。
【請求項６】
前記吸入口は、前記弁シート部に対して凹状に窪む環状凹部に形成されていることを特徴とする請求項４または請求項５に記載の燃料噴射ポンプ。
【請求項７】
前記吐出燃料通路は、前記吐出燃料通路から前記加圧室への吐出された燃料の逆流を阻止する吐出弁であって、前記吐出燃料通路を閉塞可能な弁体を有する吐出弁を備え、
前記加圧室壁部材は、前記弁体を移動可能に支持すると共に前記弁体が着座及び離座する弁座を有する吐出弁本体を有していることを特徴とする請求項１から請求項６のいずれか一項に記載の燃料噴射ポンプ。
【請求項８】
前記吐出弁本体は、前記プランジャと同軸または平行に配置されていることを特徴とする請求項７に記載の燃料噴射ポンプ。
【請求項９】
前記吐出弁本体に支持される前記弁体は、前記プランジャと同軸または平行に配置されていることを特徴とする請求項７または請求項８に記載の燃料噴射ポンプ。
【発明の詳細な説明】
【技術分野】
【０００１】
本発明は、燃料噴射ポンプに関し、例えばディーゼルエンジンなどの内燃機関において燃料を燃料噴射圧相当に加圧する燃料噴射ポンプに適用して好適である。
【背景技術】
【０００２】
従来、燃料噴射ポンプとしては、ポンプハウジングのシリンダ内で往復動可能なプランジャと、円筒状のシリンダ穴とプランジャとにより形成される加圧室とを備え、カム軸の回転に伴うプランジャの往復動により加圧室内の燃料を加圧する燃料噴射ポンプが知られている（特許文献１参照）。
【０００３】
このような燃料供給ポンプの一種として特許文献１に開示の装置では、加圧室に常に開口する吸入燃料口を有する燃料通路を設けると共に、その燃料通路の途中には、制御弁を設けるようにしている。この制御弁による燃料通路は、加圧されるべき燃料量を、加圧室に充填させることを可能にする。
【先行技術文献】
【特許文献】
【０００４】
【特許文献１】特開平１−７３１６６号公報
【発明の概要】
【発明が解決しようとする課題】
【０００５】
さて、特許文献１に開示の装置では、上記吸入燃料口と、加圧された燃料を吐出する燃料吐出通路の吐出燃料口とを、常に加圧室に開口させる必要があるため、吐出口及び吸入口の少なくともいずれかの燃料口穴は、加圧室が形成されるシリンダ穴における円筒状の内壁に形成されていた。
【０００６】
近年、内燃機関の排気性能等を高める目的で、燃料噴射圧を高圧化する要求がある。燃料供給ポンプは、燃料が加圧される加圧室を形成する壁部材に、高圧化された燃料に耐え得る耐久性確保が求められる。
【０００７】
しかしながら、上記特許文献１による従来技術の如く上記加圧室の壁部材のうち、上記円筒状の内壁は、シリンダ穴と燃料口穴が交差する交差穴部の開口周辺の内壁部分が、応力集中し易い。応力集中により過度な応力が発生すると、交差穴部の開口周辺の内壁部分、言い換えると燃料口のシリンダ穴側の開口部周辺の内壁部分で、亀裂発生などの耐久性低下を招く懸念がある。
【０００８】
本発明はこのような事情に鑑みなされたものであり、その目的は、加圧される燃料の高圧化に耐え得る、優れた耐久性を有する燃料噴射ポンプを提供することにある。
【課題を解決するための手段】
【０００９】
本発明は、上記目的を達成するために以下の技術的手段を備える。
【００１０】
即ち、請求項１に記載の発明では、燃料を吸入及び加圧するために軸方向に往復移動するプランジャと、プランジャを往復移動可能に支持し、筒状を呈するシリンダ内壁を有するハウジングであって、プランジャとともに、吸入された燃料を加圧する加圧室を形成するハウジングと、加圧室を介してプランジャとは軸方向の反対側に設けられ、加圧室を形成する加圧室壁部材と、加圧室に開口する吸入口を有する吸入燃料通路であって、吸入燃料通路に供給される燃料が吸入口から加圧室に吸入される吸入燃料通路と、加圧室に開口する吐出口を有する吐出燃料通路であって、加圧室で加圧された燃料を、吐出口より加圧室外へ吐出する吐出燃料通路と、を備え、プランジャの往復移動によって加圧室に吸入した燃料を、加圧して吐出する燃料噴射ポンプにおいて、吐出燃料通路は、吐出口が加圧室壁部材に形成され、吸入燃料通路は、吸入口がハウジングに形成されるとともに、加圧室内に設けられ、弁シート部を有し、吸入口から吸入燃料通路への燃料の逆流を阻止する逆止弁であって、加圧室内の燃料の加圧時に弁シート部が吸入口の周辺部に着座し、吸入口及び吸入口の周辺部を覆う逆止弁を備えていることを特徴とする。
【００１１】
この発明では、吐出燃料通路の吐出口及び吸入燃料通路の吸入口が加圧室に開口する。吐出口は、加圧室を介してプランジャとは軸方向の反対側に設けられる加圧室壁部材に形成されており、吸入口は、プランジャを往復移動可能に支持するシリンダ内壁を有するハウジングに形成されている。
【００１２】
ここで、例えば吸入口をシリンダ内壁に形成する場合、筒状を呈するシリンダ内壁穴に、吸入口穴を開けることになる。当該吸入口穴と筒状シリンダ内壁穴とが交差する交差穴部、換言すれば吸入口の加圧室側の開口部は応力集中し易い形状となる。それ故に、吸入口の当該開口部周辺のシリンダ内壁部分には、加圧時に加圧室内で加圧された燃料により引張り力を受けて過度な応力が発生するおそれがある。
【００１３】
しかし、加圧室内に逆止弁が設けられ、加圧室内の燃料の加圧時に逆止弁の弁シート部が吸入口の周辺部に着座し、それによって吸入口及び吸入口の周辺部を覆うことから、当該吸入口及びその周辺部は、加圧室内の加圧された燃料から遮断されるのである。これにより、吸入口及びその周辺部は、加圧時に加圧室の燃料の加圧力（引張り力）を受けないので、当該引張り力を受けて発生懸念がある過度な応力発生を防止することができる。したがって、上記吸入口が、ハウジングのうち、シリンダ内壁に形成される場合があったとしても、加圧室内で加圧される燃料の高圧化に対し耐久性を高めることができる。
【００１４】
また、吐出口は、常に加圧室に開口するものの、筒状シリンダ内壁穴と異なる加圧室壁部材に形成されるので、応力集中し易い形状になることを防止し得る。それにより、応力集中し易い形状に起因して加圧室の燃料の加圧力を受けて発生する過度な応力の発生防止ができる。
【００１５】
以上の請求項１に記載の発明によれば、加圧される燃料の高圧化に耐え得る、優れた耐久性を有し得るのである。
【００１６】
また、請求項２に記載の発明では、吸入口及びその周辺部は、加圧室を形成するハウジングの内壁のうち、シリンダ内壁に対して直交する平面部に形成されていることを特徴とする。
【００１７】
これによると、逆止弁が着座する吸入口及びその周辺部は、平面部に形成されることになる。それにより、逆止弁は、吸入口及びその周辺部に着座する弁シート部を、例えば平面部に対向する平面状に形成し得るので、加圧室内で加圧される燃料から吸入口及びその周辺部を遮断し得る、簡単かつ安価な逆止弁とすることができる。
【００１８】
また、吸入口及びその周辺部は平面部に形成されることから、吸入口及びその周辺部で応力集中することが防止し得る。それにより、例えば万が一、逆止弁の吸入口周辺部への着座が不充分である場合があったとしても、加圧時に過度な応力が吸入口及びその周辺部で発生するのを防止することができる。
【００１９】
また、請求項３に記載の発明では、逆止弁は、弁シート部を有する弁本体と、弁本体が着座方向及び離座方向に移動可能に加圧室壁部材に支持される支持部と、内部を支持部が挿通すると共に弁本体と加圧室壁部材の間に介在する付勢部材であって、弁シート部を着座方向に付勢する付勢部材と、を有することを特徴とする。
【００２０】
これによると、加圧室壁部材は、加圧室を介してプランジャとは軸方向の反対側に配置されており、当該加圧室壁部材により逆止弁の支持部を、弁本体が移動可能に支持する。そして、逆止弁は、弁本体と加圧室壁部材の間に介在する付勢部材により、弁シート部が着座方向に付勢される。これにより、逆止弁は、軸方向移動するプランジャの軸に対し平行に配置され、かつ弁シート部がハウジング内壁のうち、シリンダ内壁とは異なる平面部などの内壁部分に着座し得る。
【００２１】
また、請求項４乃至６に記載の発明では、逆止弁は、弁シート部を有する弁本体であって、プランジャに対して軸方向にずれて配設され、円環状を呈する弁本体を備え、弁本体の内周部は、プランジャより大きく、かつ弁本体の外周部は、加圧室を形成するハウジングの内壁のうち、シリンダ内壁より径拡大された支持内壁に支持されることを特徴とする。
【００２２】
これによると、逆止弁は、弁シート部を有する弁本体が、円環状に形成されると共にプランジャに対して軸方向にずれて配設される。そして、逆止弁は、その弁本体の内周部がプランジャより大きく形成され、かつ弁本体の外周部がシリンダ内壁より径拡大された支持内壁に支持される。それ故に、逆止弁を加圧室内に設けた加圧室空所、換言すると加圧室の燃料無駄容積（デッドボリューム）を小さく抑えることが可能となる。
【００２３】
また、請求項５に記載の発明では、逆止弁は、弁本体と加圧室壁部材の間に介在する付勢部材であって、内部をプランジャが挿通する付勢部材を有することを特徴とする。
【００２４】
これによると、逆止弁は、弁本体と加圧室壁部材との間に介在すると共に内部をプランジャが挿通する付勢部材を有する。故に、逆止弁を加圧室内に設けたときの加圧室の燃料無駄容積（デッドボリューム）を、効果的に小さく抑えることができる。
【００２５】
また、請求項６に記載の発明では、吸入口は、弁シート部に対して凹状に窪む環状凹部に形成されていることを特徴とする。
【００２６】
これによると、加圧室を形成するハウジングに設けられる吸入口は、円環状の弁本体の弁シート部に対して凹状に窪む環状凹部に形成されるので、吸入口における必要な燃料流路面積に対し弁本体の外周部を小径化でき、ひいては加圧室の燃料無駄容積（デッドボリューム）を効果的に小さく抑え得る。
【００２７】
また、請求項７乃至９に記載の発明では、吐出燃料通路は、吐出燃料通路から加圧室への吐出された燃料の逆流を阻止する吐出弁であって、吐出燃料通路を閉塞可能な弁体を有する吐出弁を備え、加圧室壁部材は、弁体を移動可能に支持すると共に弁体が着座及び離座する弁座を有する吐出弁本体を有していることを特徴とする。
【００２８】
これによると、吐出燃料通路には、吐出燃料通路を閉塞可能な弁体を有する吐出弁が設けられており、加圧室壁部材は、弁体を移動可能に支持すると共に弁体が着座及び離座する弁座を有する吐出弁本体を有する構成とすることができる。
【００２９】
また、請求項８に記載の発明によると、吐出弁本体は、プランジャと同軸または平行に配置され得る。
【００３０】
また、請求項９に記載の発明によると、吐出弁本体に支持される弁体は、プランジャと同軸または平行に配置され得る。
【図面の簡単な説明】
【００３１】
【図１】本発明の第１実施形態による燃料噴射ポンプを示す断面図である。
【図２】図１中の加圧室周りを示す断面図である。
【図３】図１中の加圧室周りを説明する図であって、図２に対応する断面図である。
【図４】第２実施形態による燃料噴射ポンプを示す断面図である。
【図５】図４中の加圧室周りを示す断面図である。
【図６】図４中の加圧室周りを説明する図であって、図５に対応する断面図である。
【図７】比較例の燃料噴射ポンプに係る加圧室周りを説明する図であって、図２に対応する断面図である。
【発明を実施するための形態】
【００３２】
以下、本発明の複数の実施形態を図面に基づいて説明する。なお、各実施形態において対応する構成要素には同一の符号を付すことにより、重複する説明を省略する。
【００３３】
（第１実施形態）
図１〜図３は、本発明の一実施形態による燃料噴射ポンプを、車両用のコモンレール式燃料噴射装置に用いられる燃料噴射ポンプに適用した例を示している。図１は燃料噴射ポンプの全体構成を示しており、図２及び３は本発明の特徴構成を示している。
【００３４】
図１に示すように、コモンレール式燃料噴射装置は、主に燃料タンク２、燃料噴射ポンプ１、コモンレール５及び燃料噴射弁６を備えている。当該燃料噴射装置は、燃料噴射ポンプ１から供給される高圧燃料をコモンレール５で蓄圧すると共に、当該コモンレール５内の高圧燃料を、内燃機関の各気筒に設けられた燃料噴射弁６に分配し、気筒の燃焼室に噴射供給するものである。
【００３５】
燃料タンク２及び燃料噴射ポンプ１は、コモンレール５及び燃料噴射弁６に高圧燃料を供給する燃料供給装置を構成している。
【００３６】
燃料タンク２は常圧の燃料を蓄えており、燃料噴射ポンプ１は、常圧の燃料を燃料タンク２から吸い上げると共に、当該燃料を加圧し、圧送することによりコモンレール５へ供給する高圧燃料を形成する。
【００３７】
燃料噴射ポンプ１は燃料を加圧し、当該加圧燃料を圧送する高圧燃料供給ポンプである。図１に示すように燃料噴射ポンプ１はポンプハウジング１０を備えており、ポンプハウジング１０の一方の端部にはカム室１１が形成されている。カム室１１には、エンジンによって駆動され回転される駆動軸１５が収容されている。駆動軸１５には、駆動軸１５の軸中心に対し偏心してカム１６が設けられており、駆動軸１５とカム１６は一体に形成されている。
【００３８】
ポンプハウジング１０には、駆動軸１５と直交する方向（図１の上下方向）において反カム室側に、シリンダボディ３２が設けられており、シリンダボディ３２には、プランジャ２０を摺動自在に支持するシリンダ内壁３４が形成されている。ポンプハウジング１０及びシリンダボディ３２は請求範囲に記載の「ハウジング」に相当する。シリンダボディ３２とポンプハウジング１０は、例えばボルトなどの締結固定手段９０により固定されている。
【００３９】
シリンダ内壁３４内には、プランジャ２０が、駆動軸１５と直交する方向である軸方向へ往復摺動可能に支持されている。ポンプハウジング１０内には、下部にカム室１１が形成されると共に、上部からカム室１１まで貫通する内孔１２が形成されている。このポンプハウジング１０の内孔１２とシリンダボディ３２との間にはタペット室１４が形成されており、タペット室１４の内部にはタペット２５が往復移動可能に収容されている。
【００４０】
プランジャ２０は、円柱形状に形成されている。シリンダボディ３２の内部には、プランジャ２０の上端面２１とシリンダ内壁３４と吐出弁７０の下端面７１とで囲まれる加圧室３５が形成されている。
【００４１】
プランジャ２０の反加圧室側の端部２６には、ロアシート２２が連結されている。ロアシート２２にはスプリング２８が当接しており、プランジャ２８はロアシート２２を介してスプリング２８の付勢力によりタペットに押し付けられている。スプリング２８の他方の端部はアッパシート２７に当接しており、スプリング２８の加圧室３５側への移動が規制されている。
【００４２】
タペット２５は、概ね筒状に形成されており、ポンプハウジング１０の内孔１２に軸方向移動可能に支持されている。タペット２５は、タペット本体２５１とタペットローラ２５２とを有しており、回転運動を直線運動に変換する回転・直線変換機構を構成する。タペット本体２５１は、タペットローラ２５２を、駆動軸１５に対し平行にして回転可能に支持する。また、タペットローラ２５２は、カム１６の外周に当接している。当該タペット２５は、タペットローラ２５２がカム１６に当接しカム１６の回転により回動することでカム１６の回転に従って軸方向移動することにより、プランジャ２０を軸方向に往復移動する。
【００４３】
シリンダボディ３２の加圧室３５の上部に形成される内孔にはバルブホルダ８０が嵌挿されている。バルブホルダ８０とシリンダボディ３２との軸方向の間には吐出弁７０が配設されている。吐出弁７０は、加圧室３５内で加圧された燃料を加圧室３５外に吐出する吐出燃料通路８１の途中に配置されている。
【００４４】
吐出弁７０は、弁孔７２を有する吐出弁本体７３と、弁孔７２に移動可能に支持される弁体７４と、弁体７４とバルブホルダ８０との間に配設されるバルブスプリング７７とを備えている。吐出弁本体７３と弁体７４は、それぞれ、弁座７５、シート部７６を有しており、弁座７５からシート部７６が離座することにより、弁体７４が吐出弁本体７３の弁孔７２を開き、また弁座７５にシート部７６が着座することにより、弁体７４が弁孔７２を閉じる。バルブスプリング７７は、弁体７４を、弁孔７３を閉じる方向に所定の開弁圧または噴射圧に相当する押圧力で付勢している。
【００４５】
シリンダボディ３２の加圧室３５には、加圧室３５に燃料を供給する吸入燃料通路４１が接続している。吸入燃料通路４１は、燃料タンク２内の燃料を吸い上げ、加圧する低圧燃料ポンプ３から供給される低圧燃料が流入する。吸入燃料通路４１の途中または外部には、低圧燃料ポンプ３の下流側に、加圧室３５に吸入される燃料量を調整する吸入調量装置４が設けられている。吸入調量装置４は、例えば、吸入燃料通路４１の通路開口面積を調整する吸入調量弁を有し、当該開口面積を変化させることにより加圧室３５に流入する燃料流量を調整するものであればよい。
【００４６】
また、吸入調量装置４並びに低圧燃料ポンプ３は、燃料噴射ポンプ１に一体的に組付けられて構成されるものであっても、別部材で構成されるものであってもよい。
【００４７】
以上、燃料噴射ポンプ１の基本構成について説明した。次に、燃料噴射ポンプ１の特徴的構成について説明する。
【００４８】
（特徴的構成）
図２は図１中の加圧室周りにおいて吸入時の状態を示し、また図３は加圧時の状態を示している。
【００４９】
図２に示すように、吐出燃料通路８１及び吸入燃料通路４１が加圧室３５に連通しており、吐出弁７０における吐出弁本体７３の弁孔７２は、吐出燃料通路８１が加圧室３５に開口する吐出口を構成している。また、シリンダボディ３２の内壁には、円筒状のシリンダ内壁３４に対して概ね直交する平面部３６が形成されており、当該平面部３６に、吸入燃料通路４１が加圧室３５に開口する吸入口３７及びその周辺部３６ａが形成されている。
【００５０】
加圧室３５内には、逆止弁５０が配設されている。逆止弁５０は、吸入燃料通路４１から加圧室３５に向かう燃料の流れを順方向とする逆止弁である。換言すれば、逆止弁５０は、加圧室３５に開口する吸入口３７から吸入燃料通路への燃料の逆流を阻止する。
【００５１】
逆止弁５０は、図３の加圧室３５の加圧時状態に示されるように、吸入口３７の周辺部３６ａに着座する弁シート部５１を有している。弁シート部５１は、周辺部３６ａに当接する面が、周辺部３６ａに対向して押し当て可能な平面状に形成されている。
【００５２】
逆止弁５０は、傘状を呈し弁シート部５１を有する弁本体５２と、弁本体５２の反弁シート部側に設けられ、円柱状の支持部５３と、スプリング５４を備えている。
【００５３】
支持部５３は、吐出弁本体７３の支持孔７３ａにより移動可能に支持されている。スプリング５４は、吐出弁本体７３と弁本体５２の間に配置されると共に、内部を支持部５３が挿通している。スプリング５４は、弁本体５２の弁シート部５１を、吸入口３７の周辺部３６ａに向かう着座方向に、所定の開弁圧または噴射圧に相当する押圧力で付勢する。
【００５４】
吐出弁本体７３及び弁体７４の軸線７０ｊは、プランジャ２０の軸線２０ｊに対して平行に配置されている。これにより、軸方向移動するプランジャ２０に対して吐出弁本体７３の干渉防止が容易となる。
【００５５】
ここで、吐出弁本体７３は請求範囲に記載の「加圧室壁部材」に相当し、吐出弁本体７３の弁孔７２は「吐出口」に相当する。逆止弁５０のスプリング５４は「付勢部材」に相当する。
【００５６】
次に、上述の構成を有する燃料噴射ポンプ１の作動について説明する。駆動軸１５の回転により、駆動軸１５と一体のカム１６が回転する。そのため、カム１６に当接するタペットローラ２５２は、カム１６のプロフィール面に沿って回転すると共に軸方向（図１の上下方向）に往復移動する。タペットローラ２５２の図１の上下方向への往復移動に伴って、タペットローラ２５２を支持するタペット本体２５１は、タペット室１４内を図１の上下方向へ往復移動される。これにより、タペット２５と当接しているプランジャ２０が、シリンダ内壁３４を図１の上下方向へ往復移動される。
【００５７】
図２に示すように、プランジャ２０がシリンダ内壁３４内を下降するとき、加圧室３５の容積が増加し、加圧室３５内の燃料の圧力が低下する。吸入燃料通路４１に供給される供給燃料圧力と加圧室３５内の燃料圧力との差圧が、逆止弁５０の開弁圧を超えると、逆止弁５０が開弁し、弁シート部５１が吸入口３７の周辺部３６ａから離座する。そして、吸入調量装置４で調量された燃料が吸入口３７を経由して加圧室３５内に流入する。
【００５８】
プランジャ２０が上昇を開始すると、逆止弁５０が閉弁し、弁シート部５１が吸入口３７の周辺部３６ａに着座する。弁シート部５１の周辺部３６ａへの着座により、図３に示すように吸入口３７及びその周辺部３６ａが、加圧室３５から遮断される。
【００５９】
そして、プランジャ２０の上昇に伴って加圧室３５内の燃料圧力が、逆止弁５０の弁本体５２の反弁シート部側の端面に加わる。それ故に、加圧室３５内の燃料圧力によって弁シート部５１が周辺部３６ａへ押し付けられるため、逆止弁５０における燃料の圧縮漏れが防止される。換言すれば、加圧室３５内の加圧された燃料が、吸入口３７及びその周辺部３６ａへ漏れ出るのを防止される。
【００６０】
また、プランジャ２０の上昇に伴って加圧室３５内の燃料圧力が、吐出弁７０の開弁圧を超えると、この燃料圧力で弁体７４がバルブスプリング７７の押圧力に抗して上昇され、これにより弁孔（吐出口）７２が開かれる。これにより、加圧室３５内の高圧燃料は吐出燃料通路８１を介してコモンレール５へ圧送される。
【００６１】
以上説明した本実施形態では、加圧室３５内に逆止弁５０が設けられ、加圧室３５内の燃料の加圧時に逆止弁５０の弁シート部５１が吸入口３７の周辺部３６ａに着座することにより、弁シート部５１が吸入口３７及びその周辺部３６ａを覆う。そのため、吸入口３７及びその周辺部３６ａは、加圧室３５内で加圧される燃料から遮断されるのである。
【００６２】
これより、吸入口３７及びその周辺部３６ａは、加圧時に加圧室３５内の燃料の加圧力（引張り力）を受けない。それ故に、シリンダボディ３２において吸入口３７及びその周辺部３６ａが形成される平面部３６は、加圧時に加圧室３５内の燃料の加圧力を受けて過度な応力が発生することが防止される。
【００６３】
したがって、本実施形態による燃料噴射ポンプ１は、加圧室３５内で加圧される燃料が高圧化されたとしても、当該高圧化された燃料に対し耐久性を高めることができる。
【００６４】
また、吐出燃料通路８１の吐出口としては、円筒状のシリンダ内壁３４と異なる吐出弁本体７３の平面状の下端面７１に弁孔７２で形成されているので、当該吐出口である弁孔７２は、応力集中し易い形状になることを防止し得る。
【００６５】
また、吸入燃料通路４１の吸入口３７は、シリンダボディ３２において円筒状のシリンダ内壁３４と異なる平面部３６に形成されているので、吸入口３７は、応力集中し易い形状になることを防止し得る。
【００６６】
ここで、吐出弁本体７３の平面状下端面７１に形成される弁孔（吐出口）７２並びに平面部３６に形成される吸入口３７の形状の効果について、図７の比較例と比較して説明する。
【００６７】
まず、図７の比較例を説明すると、例えば、吸入燃料通路９４１の吸入口９３７が、シリンダ内壁９３４に形成されている。なお、逆止弁９５０は、加圧室３５内ではなく、吸入燃料通路９４１の途中に設けられている。図７の比較例に示すように吸入口９３７を、円筒状を呈するシリンダ内壁９３４に形成する場合、吸入口９３７穴と当該円筒状シリンダ内壁９３４穴とが交差する交差穴部、換言すれば吸入口３７の加圧室３５側の開口部は応力集中し易い形状となる。
【００６８】
これに対し本実施形態による吸入口３７は、吸入口３７穴が平面部３６に形成されるので、加圧室３５内の燃料の加圧力を受けて応力が分散される形状となる。また、本実施形態による弁孔（吐出口）７２は、吐出弁本体７３の平面状下端面７１に形成されるため、吸入口３７の形状と同様に、加圧室３５内の燃料の加圧力を受けて応力が分散される形状となし得る。従って、弁孔（吐出口）７２及び吸入口３７は、応力集中し易い形状になることを防止し得るのである。
【００６９】
また、本実施形態による吸入口３７は、吸入口３７及びその周辺部３６ａで応力集中することが防止されるので、万が一、逆止弁５０の弁シート部５１による周辺部３６ａへの着座が不充分である場合があったとしても、加圧時に過度な応力が吸入口３７及びその周辺部３６ａで発生するのを防止することができる。
【００７０】
また、本実施形態による吸入口３７及びその周辺部３６ａは平面部３６形成されるので、逆止弁５０の弁シート部５１は、周辺部３６ａに当接する面が、平面部３６に対向する平面状に形成し得る。
【００７１】
また、逆止弁５０は、弁本体５２の反弁シート部側に設けられる支持部５３を有しており、支持部５３は、吐出弁本体７３の支持孔７３ａによって、軸方向移動可能に支持されている。これにより、図２、３に示すように逆止弁５０の軸線５０ｊは、軸方向移動するプランジャ２０の軸線２０ｊに対し平行に配置され、かつ逆止弁５０の弁シート部５１が、吸入口３７の周辺部３６ａに容易に着座し得る。
【００７２】
（第２実施形態）
第２実施形態を図５に示す。第２実施形態は第１実施形態の変形例である。第２実施形態は、逆止弁５０の弁本体５２を、プランジャ２０と同軸とした一例を示すものである。図５は、第２実施形態の燃料噴射ポンプ１に係わる加圧室周りの構成を示す断面図であり、吸入時の状態を示している。また、図６は、図５に対応する断面図であり、加圧時の状態を示している。なお、図４は、第２実施形態の燃料噴射ポンプ１の全体構成を示すものである。
【００７３】
図４、５に示すように、逆止弁５０は、円環状を呈する弁本体５２を有している。弁本体５２は、プランジャ２０の軸線２０ｊに対し概ね同軸に配置されており、プランジャ２０に対して軸方向にずれて形成されている。
【００７４】
弁本体５２の内周部は、プランジャ２０の外径より大きく、かつ弁本体５２の外周部は、シリンダボディ３２の内壁のうち、シリンダ内壁３４より拡径された支持内壁３８に支持されている。
【００７５】
図５に示すように、弁本体５２の弁シート部５１が着座及び離座する平面部３６は、略円環状面に形成されている。吸入口３７は、弁シート部５１に対して凹状に窪む環状凹部に形成されている。
【００７６】
逆止弁５０は、スプリング５４が、弁本体５２と吐出弁本体７３の間に介在して配置されている。また、図６の加圧室３５の加圧時状態に示されるようにスプリング５４は、内部をプランジャ２０が挿通する。
【００７７】
以上の本実施形態による構成であっても、第１実施形態と同様な効果を得ることができる。
【００７８】
また、本実施形態では、図６の加圧室３５の加圧時状態に示されるように、プランジャ２０が弁本体５２の内周部を挿通し得る。また、図５、６に示すように、弁本体５２の外周部は、軸方向移動可能に支持内壁３８に支持されている。それ故に、逆止弁５０を加圧室３５に設けた加圧室空所、換言すると加圧室３５の燃料無駄容積（デッドボリューム）を小さく抑えることができる。
【００７９】
また、逆止弁５０は、弁本体５２と吐出弁本体７３の間に介在すると共に内部をプランジャ２０が挿通するスプリング５４を有している。これにより、上記加圧室３５の燃料無駄容積（デッドボリューム）を、更に効果的に小さく抑えることができる。
【００８０】
また、本実施形態では、吸入口３７は、弁シート部５１に対して凹状に窪む環状凹部に形成されるので、吸入口３７における必要な燃料流路面積に対し弁本体５２の外周部を小型化でき、ひいては上記加圧室３５の燃料無駄容積（デッドボリューム）を効果的に小さく抑えることができる。
【００８１】
また、吐出弁７０は、プランジャ２０の軸線２０ｊに対し概ね同軸に配置されている。これにより、シリンダボディ３２においてシリンダ内壁３４、支持内壁３８、及び吐出弁７０を収容する内孔が同軸加工し得るので、本実施形態による燃料噴射ポンプ１は生産性を高め得る。
【００８２】
（他の実施形態）
以上、本発明の複数の実施形態について説明したが、本発明はそれらの実施形態に限定して解釈されるものではなく、その要旨を逸脱しない範囲内において種々の実施形態に適用することができる。
【００８３】
（１）例えば以上説明した本実施形態では、吸入口３７を、シリンダボディ３２の内壁のうち、円筒状のシリンダ内壁３４と異なる平面部３６に設けた。吸入口３７は、これに限らず、シリンダ内壁３４の円筒状面に形成されるものであってもよい。この場合、吸入口は応力集中し易い形状となるが、加圧時に逆止弁により吸入口の周辺部に着座し、吸入口及びその周辺部を覆うことで、逆止弁により加圧時の加圧室の燃料から吸入口及びその周辺部が遮断されるからである。
【００８４】
（２）以上説明した本実施形態では、吸入口３７及びその周辺部３６ａが平面部３６に形成され、かつ当該平面状の周辺部３６ａに逆止弁５０の弁シート部５１が着座するという構成とした。上記周辺部は、平面状に限らず、テーパ面状などの非平面状に形成されるものであってもよい。
【００８５】
この場合、非平面状の周辺部は例えば以下のように構成される。即ち、吸入口３７が平面部３６に形成されると共に、周辺部は、吸入口３７と平面部３６との間に介在されるテーパ面部に形成され、かつ当該テーパ面状のテーパ面部に弁シート部が着座するという構成であってもよい。この構成による弁シート部は、テーパ面部に着座可能に当接する面が、円錐面状に形成される。
【符号の説明】
【００８６】
１  燃料噴射ポンプ、  １０  ポンプハウジング（ハウジング）、  １１  カム室、  １２  内孔、  １４  タペット室、  １５  駆動軸、  １６  カム、  ２０  プランジャ、  ２０ｊ  軸線、  ２１  上端面、  ２５  タペット、  ２５１  タペット本体、  ２５２  タペットローラ、  ３２  シリンダボディ、  ３４  シリンダ内壁、  ３５  加圧室、  ３６  平面部、  ３６ａ  周辺部、  ３７  吸入口、  ４１  吸入燃料通路、  ５０  逆止弁、  ５０ｊ  軸線、  ５１  弁シート部、  ５２  弁本体、  ５３  支持部、  ５４  スプリング（付勢部材）、  ７０  吐出弁、  ７０ｊ  軸線、  ７１  下端面、  ７２  弁孔（吐出口）、  ７３  吐出弁本体（加圧室壁部材）、  ７３ａ  支持孔、  ７４  弁体、  ７５  弁座、  ７６  シート部、  ７７  バルブスプリング、  ８０  バルブホルダ、  ８１  吐出燃料通路
【図１】
2010275874.tif 000003
【図２】
2010275874.tif 000004
【図３】
2010275874.tif 000005
【図４】
2010275874.tif 000006
【図５】
2010275874.tif 000007
【図６】
2010275874.tif 000008
【図７】
2010275874.tif 000009